(57)【要約】【課題】取付作業等に手間のかかる遮音部材を用いることなく、遮音機能を有して好適な通話が可能なインターホン子機を提供する。【解決手段】化粧パネルの後面に、マイク孔２３の周囲を囲む遮音突起１５を後方へ突設させ、当該遮音突起１５が、化粧パネルの前ケースへの取付状態において、前ケースの前面と当接して集音孔の周囲をも囲むようにした。当該構成により、取付作業等に手間のかかる遮音部材を用いることなく、たとえばスピーカ部から報音された音声等のマイクへの到達を防止することができ、好適な通話が可能となる。【選択図】図５
2009152794.tif 000002
【特許請求の範囲】
【請求項１】
居室内等に設置される居室親機との間で通話するためのマイクが本体ケースの内部に内蔵される一方、前記本体ケースの前面に化粧パネルが取り付けられており、前記マイクへ音声等を伝達すべく、前記本体ケースの前面には集音孔が、前記化粧パネルにはマイク孔が夫々開設されてなるインターホン子機であって、
前記化粧パネルの後面に、前記マイク孔の周囲を囲む凸条部が後方へ突設されているとともに、当該凸条部が、前記化粧パネルの前記本体ケースへの取付状態において、前記本体ケースの前面と当接又は近接して前記集音孔の周囲をも囲むことを特徴とするインターホン子機。
【請求項２】
前記凸条部が、前記マイク孔の左右両側及び上側のみを囲むように設けられているとともに、前記化粧パネルの後面における前記マイク孔の少なくとも左右両側で、且つ、前記マイク孔と前記凸条部との間となる位置に、前記マイク孔を介して前記化粧パネルの後面側に浸入した水を下方へ導くための水抜き溝が上下方向に刻設されていることを特徴とする請求項１に記載のインターホン子機。
【発明の詳細な説明】
【技術分野】
【０００１】
本発明は、玄関等に設置され、来訪者が居住者を呼び出すためのインターホン子機に関するものである。
【背景技術】
【０００２】
従来、玄関等に設置されるインターホン子機としては、本体ケースの前面に化粧パネル等といったカバーケースを取り付けてなるものが一般的に知られている。当該インターホン子機にあっては、本体ケースの前面と化粧パネルの後面との間に、本体ケース前面に開設された集音孔及び化粧パネルに開設されたマイク孔の周囲を囲む合成樹脂製の遮音部材を介在させることにより、通話のために設けられているマイク部に雑音が届くことを防止していた。
【０００３】
【特許文献１】実開平５−９７１５４号公報
【発明の開示】
【発明が解決しようとする課題】
【０００４】
しかしながら、上記特許文献１に記載の構成では、遮音部材の一方側を本体ケース前面に、他方側を化粧パネル後面に夫々接着等して取り付けなければならず、その取付作業が煩雑となっていた。また、メンテナンスや化粧パネルの交換等により化粧パネルを取り外す際、遮音部材を一旦剥がした後に再び接着しなければならず、その作業も煩雑となる。さらに、化粧パネルを取り外した際に遮音部材が損傷してしまい、遮音部材を交換しなければならなくなるといった事態も起こっていた。
【０００５】
そこで、本発明は、上記問題に鑑みなされたものであって、取付作業等に手間のかかる遮音部材を用いることなく、遮音機能を有して好適な通話が可能なインターホン子機を提供しようとするものである。
【課題を解決するための手段】
【０００６】
上記目的を達成するために、本発明のうち請求項１に記載の発明は、居室内等に設置される居室親機との間で通話するためのマイクが本体ケースの内部に内蔵される一方、本体ケースの前面に化粧パネルが取り付けられており、マイクへ音声等を伝達すべく、本体ケースの前面には集音孔が、化粧パネルにはマイク孔が夫々開設されてなるインターホン子機であって、化粧パネルの後面に、マイク孔の周囲を囲む凸条部が後方へ突設されているとともに、当該凸条部が、化粧パネルの本体ケースへの取付状態において、本体ケースの前面と当接又は近接して集音孔の周囲をも囲むことを特徴とする。
この構成によれば、化粧パネルの後面に突設された凸条部により、化粧パネルの本体ケースへの取り付けに際して、集音孔及びマイク孔の周囲が囲まれる。したがって、取付作業等に手間のかかる遮音部材を用いることなく、たとえばスピーカ部から報音された音声等のマイクへの到達を防止することができ、好適な通話が可能となる。
【０００７】
請求項２に記載の発明は、請求項１に記載の発明において、凸条部が、マイク孔の左右両側及び上側のみを囲むように設けられているとともに、化粧パネルの後面におけるマイク孔の少なくとも左右両側で、且つ、マイク孔と凸条部との間となる位置に、マイク孔を介して化粧パネルの後面側に浸入した水を下方へ導くための水抜き溝が上下方向に刻設されていることを特徴とする。
この構成によれば、化粧パネルの後面に設けた水抜き溝により、マイク孔を介して化粧パネルと本体ケース前面との隙間に浸入してきた水を下方へ流すことができる。また、凸条部が、マイク孔の左右両側及び上側のみを囲むように設けられているため、当該凸条部に水が溜まるようなこともない。したがって、マイク孔を介して浸入した水が集音孔を覆うように貯溜し、集音機能を阻害するといった事態の発生を防止することができるし、本体ケース内への浸入防止機能の向上も図ることができる。
【発明の効果】
【０００８】
本発明によれば、化粧パネルの後面に突設された凸条部により、化粧パネルの本体ケースへの取り付けに際して、集音孔及びマイク孔の周囲を囲むように構成しているため、取付作業等に手間のかかる遮音部材を用いることなく、遮音機能に優れ、好適な通話を行うことが可能なインターホン子機とすることができる。
【発明を実施するための最良の形態】
【０００９】
以下、本発明の一実施形態となるインターホン子機について、図面にもとづき説明する。
図１は、インターホン子機１を正面側から示した説明図であり、図２は、インターホン子機１を底面側から示した説明図である。また、図３は、化粧パネル２を取り外した状態のインターホン子機１を示した説明図である。
【００１０】
インターホン子機１は、玄関の壁面等に図示しない取付台を介して設置され、居室内等に設置される居室親機（図示せず）と通話可能に接続されるものであって、前ケース３と後ケース４とを組み付けてなる本体ケース５と、該本体ケース５の前面に、前ケース３の一部前面を覆うようにして取り付けられる化粧パネル２とからなる。そして、本体ケース５には、来訪者が居住者を呼び出すための呼出ボタン６、通話のためのマイク部７及びスピーカ部８、来訪者を撮像するためのカメラ部９、化粧パネル２を取り付けるための係止孔１０、１０・・等が備えられている。
【００１１】
ここで、本発明の要部となるマイク部７について、図４をもとに詳細に説明する。図４は、本体ケース５のマイク部７近傍を拡大して示した斜視説明図である。
マイク部７は、本体ケース５内に設けられたマイク（図示せず）と、当該マイクの前方位置（前ケース３）に凹設された有底の集音空間１１と、マイクへ音声等を伝達すべく集音空間１１内の右側縁に沿って開設された上下方向に細長い集音孔１２と、集音孔１２の下端から下方へ延設された凹状の第１水抜き溝１３とからなる。第１水抜き溝１３は、左右方向への幅０．５ｍｍ、前後方向への深さ０．２ｍｍとされており、集音孔１２に停溜しようとする水滴を毛細管現象により溝内へ引き込んで下方へ流すようになっている。また、集音空間１１の周縁には、浅い凹状の当接凹部１４が設けられており、化粧パネル２を取り付けた際に、化粧パネル２に突設されている遮音突起１５の後端面が当接するようになっている。
【００１２】
次に、化粧パネル２のマイク部７に対応する箇所について、図５をもとに詳細に説明する。図５は、化粧パネル２後面のマイク孔２３近傍を拡大して示した斜視説明図である。
化粧パネル２は、中央に呼出ボタン６やスピーカ部８、カメラ部９等を露出させるための窓２１が開設された板状部材であって、本体ケース５の各係止孔１０と対応する位置には、矢尻状の係止片２２が後方へ突設されている。また、マイク部７と対応する位置には、集音孔１２を露出させるためのマイク孔２３が開設されている。
【００１３】
さらに、化粧パネル２の後面には、一対の第２水抜き溝２４、２４が刻設されている。当該第２水抜き溝２４、２４は、左右方向への幅０．７ｍｍ、前後方向への深さ０．５ｍｍとされ、マイク孔２３の左右両側縁に沿って、マイク孔２３の下縁よりも下方まで延設されており、マイク孔２３を介して化粧パネル２と前ケース３との間に浸入した水を毛細管現象により溝内へ引き込んで下方へ流すようになっている。
【００１４】
加えて、上記マイク孔２３及び第２水抜き溝２４、２４の外側を囲うように、コ字状の遮音突起１５が後方へ突設されている。当該遮音突起１５は、下方へ開放する姿勢で設けられており、第２水抜き溝２４、２４による下方への水の流れを阻害しないようになっている。また、遮音突起１５は、化粧パネル２の本体ケース５への取り付けに伴って前ケース３の当接凹部１４に当接し、集音空間１１を上方及び左右側方から覆うようになっている。
【００１５】
ここで、上記インターホン子機１における水抜き作用について説明する。
インターホン子機１は、本体ケース５の前面に化粧パネル２を取り付けた状態にて玄関等に設置されており、マイク部７において、水は、まず化粧パネル２のマイク孔２３を介して浸入することになる。しかしながら、インターホン子機１では、第２水抜き溝２４、２４によりマイク孔２３を介して浸入した水を下方へ導き、マイク部７、すなわち集音孔１２等への到達を抑止する。尚、遮音突起１５により、マイク孔２３を介して浸入した水の周囲への不必要な拡散が防止され、効率良く第２水抜き溝２４、２４により水抜きされることになる。また、第２水抜き溝２４により下方へ導かれた水は、前ケース３の前面又は化粧パネル２の後面をつたってインターホン子機１の底部まで流れおち、前ケース３の前面に形成された水抜き凹部３０、３０を介して外部へ排出される。
【００１６】
また、第２水抜き溝２４、２４を設けていたとしても、水が、集音空間１１まで到達して集音孔１２を塞ぐように溜まろうとすることもある。しかしながら、インターホン子機１では、当該水を第１水抜き溝１３により下方へ導き、集音孔１２での停溜、及び集音孔１２を介しての本体ケース５内への浸入を防止する。尚、第１水抜き溝１３により下方へ導かれる水も、上記同様、インターホン子機１の底部まで流れおちた後、水抜き凹部３０、３０を介して排出される。
【００１７】
以上のような構成を有するインターホン子機１によれば、前ケース３に開設された集音孔１２の下端から下方へ第１水抜き溝１３を延設しており、集音孔１２に停溜しようとする水を下方へ流すようになっている。したがって、集音孔１２を覆うように水が溜まり、マイクに声が届きにくくなる等といった事態を防止することができるとともに、本体ケース５内への水の浸入防止機能を高めることにもなる。
【００１８】
また、本体ケース５前面から更に前方へ突出する突起等を設けているわけではないため、本体ケース５前面（マイク部７周縁）をフラット状に成形することができ、化粧パネル２側の構成を簡素化することが可能であるし、化粧パネル２に代えて従来用いていた化粧パネル等を使用することも可能であり、汎用性に富む。
【００１９】
さらに、化粧パネル２の後面に、一対の第２水抜き溝２４、２４を、マイク孔２３の左右両側縁に沿ってマイク孔２３下縁よりも下方まで延設しており、マイク孔２３を介して浸入してきた水を下方へ流すようになっている。したがって、集音孔１２への停溜防止機能、及び本体ケース５内への水の浸入防止機能の一層の向上を図ることができる。
【００２０】
さらにまた、化粧パネル２に、マイク孔２３及び第２水抜き溝２４、２４の外側を囲うように遮音突起１５を設けており、化粧パネル２の本体ケース５への取り付け時に当該遮音突起１５が前ケース３の当接凹部１４に当接するようにしているため、マイク孔２３を介して浸入した水の周囲への不必要な拡散を防止することができる。したがって、本体ケース５内への水の浸入防止機能の更なる向上は勿論のこと、第２水抜き溝２４、２４による水抜き動作をより効率良く行うことができる。
【００２１】
加えて、上記遮音突起１５により集音空間１１が上方及び左右側方から覆われるようになるため、スピーカ部８から報音された音声のマイクへの到達を抑止することができ、親機側において来訪者の声に雑音が混じったりせず、好適な通話が可能となる。また、化粧パネル２を取り付けるだけで集音空間１１の上方及び左右側方を覆うことができるため、従来の如く一々遮音部材を接着等する必要がなく、使い勝手が良い。
【００２２】
なお、本発明に係るインターホン子機は、上記実施形態に記載の態様に何ら限定されるものではなく、本体ケース、及び化粧パネルに係る構成を、本発明の趣旨を逸脱しない範囲で、必要に応じて適宜変更することができる。
【００２３】
たとえば、化粧パネルの形状・デザイン等は適宜変更可能であって、上記実施形態に記載の化粧パネル２に代えて、図６に示すような平板状の化粧パネル（所謂、ドア袖パネル）３５を使用することも可能である。尚、図６において、化粧パネル２と同様の構成要素については、同じ符号を付している。また、当該化粧パネル３５は、その後面に化粧パネル２同様の第２水抜き溝２４や遮音突起１５等を備えていてもよいし、備えていなくともよい。
また、化粧パネル側に設ける第２水抜き溝２４の寸法や数、第２水抜き溝２４のそもそもの有無についても適宜設計変更可能であって、第２水抜き溝２４を１つしか有さない化粧パネルや第２水抜き溝２４を備えていない化粧パネルを本体ケースに取り付けて、インターホン子機１を構成することは当然可能である。
さらに、第１水抜き溝１３の寸法等についても適宜設計変更可能であることは言うまでもない。
加えて、遮音突起１５の形状等についても上記実施形態に記載したものに何ら限定されることはなく、化粧パネルの取り付け時に本体ケース５前面と当接ではなく近接するように設けたとしても同様の効果を奏し得る。また、上記実施形態では、遮音突起１５を下方へ開放するコ字状に形成しているが、集音孔１２及びマイク孔２３の上下左右を完全に囲むように遮音突起１５を形成してもよい。
【図面の簡単な説明】
【００２４】
【図１】インターホン子機を正面側から示した説明図である。
【図２】インターホン子機を底面側から示した説明図である。
【図３】化粧パネルを取り外した状態のインターホン子機を示した説明図である。
【図４】本体ケースのマイク部近傍を拡大して示した斜視説明図である。
【図５】化粧パネル後面のマイク孔近傍を拡大して示した斜視説明図である。
【図６】化粧パネルの変更例を示した説明図である。
【符号の説明】
【００２５】
１・・インターホン子機、２、３５・・化粧パネル、３・・前ケース、４・・後ケース、５・・本体ケース、７・・マイク部、１１・・集音空間、１２・・集音孔、１３・・第１水抜き溝、１４・・当接凹部、１５・・遮音突起（凸条部）、２１・・窓、２２・・係止片、２３・・マイク孔、２４・・第２水抜き溝（水抜き溝）、３０・・水抜き凹部。
【図１】
2009152794.tif 000003
【図２】
2009152794.tif 000004
【図３】
2009152794.tif 000005
【図４】
2009152794.tif 000006
【図５】
2009152794.tif 000007
【図６】
2009152794.tif 000008